(57)【要約】【課題】  着用時のバストとのフィット性に優れるとともに、より立体感を持たせることができる、カップ部を有する衣類を提供する。【解決手段】  一対のカップ部１１０およびバック部１３０を備え、バック部１３０は、一対のカップ部１１０の脇側に取り付けられ、カップ部１１０は、内部に芯体１１１を有している成型部材を含み、芯体１１１は、２個から６個の範囲内で複数個含まれており、カップ部１１０のバストトップ位置と下縁側のカップくりとの間の領域に、前記カップくりの方向に沿って互いに隙間を有して配置され、前記隙間の位置が、前中心側端点Ｐからカップくりの長さＬの１／５から４／５の領域内になるように複数個の芯体１１１は配置され、前記成型部材には凹部１１２が、少なくとも１つの前記隙間の位置に、カップ部１１０の下縁側からバストトップ側に向かうように設けられている。【選択図】  図１
2019137936.tif 000002
【特許請求の範囲】
【請求項１】
カップ部を有する衣類であって、
一対のカップ部およびバック部を備え、
前記バック部は、前記一対のカップ部の脇側に取り付けられ、
前記カップ部は、内部に芯体を有している成型部材を含み、
前記芯体は、２個から６個の範囲内で複数個含まれており、前記カップ部のバストトップ位置と下縁側のカップくりとの間の領域に、前記カップくりの方向に沿って互いに隙間を有して配置され、
前記隙間の位置が、前中心側端点からカップくりの長さの１／５から４／５の領域内になるように前記複数個の芯体は配置され、
前記成型部材には凹部が、少なくとも１つの前記隙間の位置に、前記カップ部の下縁側からバストトップ側に向かうように設けられている
ことを特徴とするカップ部を有する衣類。
【請求項２】
前記複数個の芯体は、前中心側の幅が、脇側の幅よりも大きくなっていることを特徴とする、請求項１記載のカップ部を有する衣類。
【請求項３】
前記複数個の芯体のうち、前中心側に配置される芯体の前中心側の幅が、他の芯体の前中心側の幅の１．２倍から２．５倍の範囲内にあることを特徴とする、請求項１または２記載のカップ部を有する衣類。
【請求項４】
前記複数個の芯体が、不織布であることを特徴とする、請求項１から３のいずれか一項に記載のカップ部を有する衣類。
【請求項５】
前記凹部は、凹部深さが前記カップ部の下縁側から前記バストトップ側に向かって徐々に浅くなっていることを特徴とする、請求項１から４のいずれか一項に記載のカップ部を有する衣類。
【請求項６】
衣類がブラジャーであることを特徴とする、請求項１から５のいずれか一項に記載のカップ部を有する衣類。
【請求項７】
さらに衣類本体部を有することを特徴とする、請求項１から５のいずれか一項に記載のカップ部を有する衣類。
【発明の詳細な説明】
【技術分野】
【０００１】
本発明は、カップ部を有する衣類に関する。
【背景技術】
【０００２】
従来、ブラジャー等のカップ部を有する衣類では、ポリウレタン等の弾性体を成型した成型部材を用いた、いわゆるモールドタイプのカップ（以下カップ部という）が用いられているものがある。このような衣類においては、カップ部の厚みや剛性を調整し、バストの造形性を向上させたり、補整機能を付与したりする検討がなされている（例えば、特許文献１および２参照）。
【先行技術文献】
【特許文献】
【０００３】
【特許文献１】特開平９−７８３１１号公報
【特許文献２】特開２００６−２９９４７５号公報
【発明の概要】
【発明が解決しようとする課題】
【０００４】
しかし、従来のモールドタイプのカップ部を有するブラジャー等の衣類では、着用時にバスト形状と馴染まずに、バストとカップ部との間に隙間が生じたり、カップ部がバストに当たったり食い込んだりして、違和感を生じさせることがあった。
【０００５】
そこで、本発明は、着用時のバストとのフィット性に優れるとともに、より立体感を持たせることができる、カップ部を有する衣類を提供することを目的とする。
【課題を解決するための手段】
【０００６】
前記目的を達成するために、本発明のカップ部を有する衣類は、
一対のカップ部およびバック部を備え、
前記バック部は、前記一対のカップ部の脇側に取り付けられ、
前記カップ部は、内部に芯体を有している成型部材を含み、
前記芯体は、２個から６個の範囲内で複数個含まれており、前記カップ部のバストトップ位置と下縁側のカップくりとの間の領域に、前記カップくりの方向に沿って互いに隙間を有して配置され、
前記隙間の位置が、前中心側端点からカップくりの長さの１／５から４／５の領域内になるように前記複数個の芯体は配置され、
前記成型部材には凹部が、少なくとも１つの前記隙間の位置に、前記カップ部の下縁側からバストトップ側に向かうように設けられていることを特徴とする。
【発明の効果】
【０００７】
本発明によると、着用時のバストとのフィット性に優れるとともに、より立体感を持たせることができる、カップ部を有する衣類を得ることができる。
【図面の簡単な説明】
【０００８】
【図１】図１は、本発明のカップ部を有する衣類の一例である、第１の実施形態に係るブラジャーの正面から見た斜視図である。
【図２】図２は、前記第１の実施形態に係るブラジャーのカップ部を背面側（肌側）から見た状態の正面図である。
【図３】図３（ａ）は、前記第１の実施形態に係るブラジャーのカップ部を図２におけるＩ−Ｉ方向に見た断面図である。図３（ｂ）は、前記第１の実施形態に係るブラジャーのカップ部をＩＩ−ＩＩ方向に見た断面図である。
【図４】図４は、本発明のカップ部を有する衣類のその他の例を示す斜視図である。図４（ａ）は、第２の実施形態に係るブラキャミソールの一例、図４（ｂ）は、第３の実施形態に係るブラキャミソールの一例である。
【発明を実施するための形態】
【０００９】
本発明のカップ部を有する衣類において、前記複数個の芯体は、前中心側の幅が、脇側の幅よりも大きくなっていることが好ましい。
【００１０】
本発明のカップ部を有する衣類において、さらに前記複数個の芯体のうち、前中心側に配置される芯体の前中心側の幅が、他の芯体の前中心側の幅の１．２倍から２．５倍の範囲内にあることが好ましい。
【００１１】
本発明のカップ部を有する衣類において、さらに前記複数個の芯体が、不織布であることが好ましい。
【００１２】
本発明のカップ部を有する衣類において、前記凹部は、凹部深さが前記カップ部の下縁側から前記バストトップ側に向かって徐々に浅くなっていることが好ましい。
【００１３】
本発明のカップ部を有する衣類において、衣類がブラジャーであることが好ましい。
【００１４】
本発明のカップ部を有する衣類において、さらに衣類本体部を有することが好ましい。
【００１５】
本発明のカップ部を有する衣類について、例をあげて説明する。ただし、本発明は、以下の例に限定および制限されない。なお、以下で参照する図面は、模式的に記載されたものであり、図面に描画された物体の寸法の比率などは、現実の物体の寸法の比率などとは異なる場合がある。図面相互間においても、物体の寸法比率等が異なる場合がある。
【００１６】
（第１の実施形態）
図１に、本発明のカップ部を有する衣類の第１の実施形態に係るブラジャー１００を示す。図１は、本実施形態のブラジャー１００を正面方向から見た斜視図である。本実施形態のブラジャー１００は、一対のカップ部１１０、一対のカップ部１１０を支持するカップ支持部１２０、バック部１３０、および、肩ストラップ１４０を備えたブラジャーである。一対のカップ部１１０は、下縁側のカップくりがバージスラインに沿うように形成されており、カップ支持部１２０によって連結されている。そして、カップ支持部１２０を介して、一対のカップ部１１０の脇側には、バック部１３０の一端が取り付けられている。
【００１７】
図２は、右胸に着用されるカップ部１１０を背面側（肌側）から見た状態の正面図である。一対のカップ部１１０は、内部に２個の芯体１１１を有している成型部材によって形成されている。２個の芯体１１１は、カップ部１１０のバストトップ位置と下縁側のカップくりとの間の領域に、前記カップくりの方向に沿って互いに隙間を有して配置されている。そして、前記隙間の位置は、前中心側端点Ｐからカップくりの長さＬの１／５から４／５の領域内になるように配置されている。前記隙間の位置は、前中心側端点Ｐからカップくりの長さＬの１／５から３／５の領域内にあることが好ましい。前記領域に前記隙間を設けることで、芯体１１１をカップ部１１０の丸みに沿わせることができる。また、前記領域は、バストの大きさやバージス幅によって、同サイズの衣類の着用者であってもバスト形状に個人差が生じ易い部分である。そのため、前記領域において芯体１１１が存在していない前記隙間を設けることで、カップ部１１０の形状を身体に沿わせやすくすることができる。
【００１８】
本実施形態においては、芯体１１１は２個含まれているが、芯体１１１は２個から６個の範囲内で複数個含まれていればよく、２個から４個の範囲内であることが好ましい。数が多すぎると、身体に馴染みすぎるためサポート効果が十分に得られず、１個の場合は身体に馴染みにくく、バストとカップ部との間に隙間が生じたり、カップ部がバストに当たったり食い込んだりして、違和感を生じさせやすい。
【００１９】
図３（ａ）は、前記第１の実施形態に係るブラジャーのカップ部を図２におけるＩ−Ｉ方向に見た断面図である。図３（ｂ）は、前記第１の実施形態に係るブラジャーのカップ部をＩＩ−ＩＩ方向に見た断面図である。前記成型部材（カップ部１１０）には断面が三角形状の凹部１１２が設けられている。凹部１１２は、芯体１１１の隙間に、カップ部１１０の下縁側からバストトップ側に向かうように設けられている。カップ部１１０における凹部１１２部分の厚みは、その周囲の部分と比較して薄いため、着用時にバック部１３０にカップ部１１０の脇側部分が引かれることによって、凹部１１２に沿ってカップ部１１０が着用者のバストにフィットするように折れ曲がる。本実施形態においては、芯体１１１が２個であるため前記隙間は１箇所であるが、芯体が３個以上であり前記隙間が２箇所以上となる場合、凹部は全ての隙間に設けてもよいが、前記隙間のうち少なくとも１箇所に設けられていればよく、全ての隙間に設けなくてもよい。なお、カップ部１１０（成型部材）の厚みが大きい場合は、バストの形状に沿いやすくするために、凹部の数は多いほうが好ましい。
【００２０】
凹部１１２は、深さが、カップ部１１０の下縁側からバストトップ側に向かって徐々に浅くなっていることが好ましい。また、凹部１１２の形状は、カップ部１１０の下縁側からバストトップ側に向かって、ダーツの形状のように先端が細くなっていることが好ましい。このような凹部形状とすることで、よりバストに馴染みやすく、着用時に違和感の少ないカップ部とすることができる。例えば、Ｂ７０サイズおよびＣ７０サイズの場合、カップ部１１０の厚みは１．６ｃｍ程度であることが好ましいが、それよりも大きいサイズの場合には、１．２ｃｍ程度というように、カップ部１１０の厚みはサイズによって異なる値となるように設計されることがある。凹部１１２は、カップ部１１０の厚みや実現したいカップ形状（曲がり方の度合い）に応じて、幅を広くしたり狭くしたり、深さを深くしたり浅くしたりすることができる。凹部幅は、１ｍｍから１０ｍｍの範囲であることが好ましく、２ｍｍから５ｍｍの範囲であることがより好ましい。凹部深さは、１ｍｍから１０ｍｍの範囲であることが好ましく、３ｍｍから７ｍｍの範囲であることがより好ましい。凹部の断面形状は三角形状に限られず、矩形、半円形等の様々な形状とすることができる。また、凹部は、溝状ではなく切れ込みであってもよい。
【００２１】
凹部１１２を挟んで、芯体１１１が左右に配置されている箇所において、凹部１１２の端部から０．３ｃｍ〜１．５ｃｍの範囲内に芯体１１１の凹部側端部があることが好ましい。芯体と凹部との距離が近すぎると、カップ部１１０が凹部１１２で折れ曲がろうとする際に、用いる素材や各部材の厚みによっては芯体１１１同士で干渉が生じ易くなるため、前記位置にあることが好ましい。
【００２２】
前記成型部材はポリウレタンフォーム、不織布、ダブルラッセル、等の材料を用いることができるが、成型性、耐久性等の点からポリウレタンフォームから形成されていることが好ましい。芯体１１１は不織布から形成されていることが好ましいが、芯材として使用できるような材料であれば、任意の素材を用いることができる。前記材料としては、不織布、織物、編物、発泡スチロール、樹脂板、および、これらを組み合わせた材料等を用いてもよい。芯体としてこれらの素材を用い、バストの保形性が得られるような厚さや硬さにすることで、バストに立体感を持たせることができる。
【００２３】
芯体１１１は、前中心側の幅が、脇側の幅よりも大きくなっていることが好ましい。前中心側の幅を広くすることで、保形性を与え、よりワイヤータイプのブラジャーのような立体感を作ることができる。前中心側の芯体１１１の幅ＷＡは、他の芯体（脇側の芯体）１１１の幅ＷＢの１．２〜２．５倍の範囲内であることが好ましい。脇側の芯体の幅を前中心側の芯体の幅よりも細くすることで、バストの脇部分を自然にサポートすることができる。
【００２４】
芯体１１１の厚みは、０．５ｍｍから７ｍｍの範囲であることが好ましく、２ｍｍから５ｍｍの範囲であることがより好ましい。芯体１１１の厚みは均等でもよいが、前中心側での厚みを厚くすることで、より前中心側のバストの保形性を与えることができる。
【００２５】
本実施形態のブラジャーにおいて、バック部１３０の他端には、例えばホック等の連結係止部を設けることができる。あるいは、バック部１３０は、連結係止部を有していなくてもよい。例えば、連結係止部を前中心に設けてフロントホックタイプとしてもよい。また、連結係止部がないタイプ（被って着用するタイプ）、バック布を結んで係止するタイプであってもよい。
【００２６】
連結係止部としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００２７】
本実施形態においては、肩ストラップ１４０の一端はカップ部１１０に取り付けられ、他端（図示せず）はバック部１３０の上辺部に取り付けられている。カップ部１１０側あるいはバック部１３０側の肩ストラップ１４０取り付け位置のいずれかには、円環の係止具を取り付けておき、肩ストラップ１４０は前記円環の係止具を通って反転し、エイト環からなる長さ調節具に導入されることによって、肩ストラップ１４０の長さ調整が可能な状態で取り付けることも好ましい。肩ストラップ１４０の態様はこれに限定されず、例えば、前記一対のカップ部１１０の上部同士を互いに繋ぐように取り付けられている、いわゆる「ホルターネック」タイプであってもよい。肩ストラップ１４０の取り付け位置は、カップ部１１０の形状やブラジャーのデザインによって決定することができる。肩ストラップ１４０は、カップ部１１０を肩から吊り下げるものであればよい。紐や布テープであってもよいし、タンクトップのような幅の広い、いわゆるラウンドタイプのストラップであってもよい。肩ストラップ１４０の態様は一対のカップ部１１０に対応して一対の肩ストラップ１４０をそれぞれカップ部１１０上部とバック部１３０に取り付ける態様に限定されず、例えば、スポーツタイプのブラジャーの肩ストラップのように、背中側で２本の肩ストラップ１４０が一体となりバック部１３０に取り付けられる態様であってもよい。また、肩ストラップ１４０を有していない、いわゆるストラップレスの衣類とすることもできす。
【００２８】
本発明における、内部に芯体１１１を有している成型部材は、例えば次のようにして得ることができる。以下、成型部材としてポリウレタンフォームを用い、芯体として不織布を用いた場合について説明する。
【００２９】
表側ポリウレタンフォームと肌側ポリウレタンフォームとを用意し、その間に所定のサイズとした不織布を、所定の位置に挟み込む。前記表側ポリウレタンフォームおよび前記肌側ポリウレタンフォームを、前記不織布の両面に接着し、この状態で、所望の形状を現出可能な型を用いて圧縮成型を行う。圧縮成形の型には、凹部１１２に相当する位置に凸部を設けておくことで、図２および図３に示すような成型部材が得られる。
【００３０】
（第２の実施形態）
次に、図４（ａ）に本発明のカップ部を有する衣類のその他の例として、ブラキャミソール２００の斜視図を示す。
【００３１】
このブラキャミソール２００のブラジャー相当部分は、図１で説明したブラジャー１００とほぼ同一の概念のもとに設計されている。本態様においては、ブラキャミソール２００は、カップ支持部１２０の下側に、身頃２１０を有している。本例では、バック部１３０の下に身頃２１０を取り付けているが、身頃２１０が本発明におけるバック布を兼ねていてもよい。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。
【００３２】
（第３の実施形態）
図４（ｂ）に本発明のカップ部を有する衣類のその他の例として、ブラキャミソール３００の斜視図を示す。このブラキャミソール３００は、キャミソールの身頃内側にブラジャー相当部分が設けられており、前記ブラジャー相当部分は、図１で説明したブラジャー１００とほぼ同一の概念のもとに設計されている。本態様においては、ブラキャミソール３００は、ブラジャー相当部分を覆うように身頃３１０を有している。また、バック部１３０は連結係止部を有しておらず、連結係止部の操作をすることなく着脱ができる態様である。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。本例の構成にすることにより、カップ部１１０のデザインにかかわらず、着用時の外観のバリエーションを多様にすることができる。また、カップ部１１０を、よりアウターにひびかなくすることもできる。
【００３３】
以上、実施の形態の具体例として、ブラジャー、およびブラキャミソールをあげて本発明を説明したが、本発明のカップ部を有する衣類は、これらの具体例で記載されたもののみに限定されるものではなく、種々の態様が可能である。例えば、上記の実施形態のようなファンデーション衣類以外にも、ボディスーツ、ブラスリップ、セパレートタイプの水着のトップ部、レオタード、その他各種のカップ部を有する衣類に適用できる。
【産業上の利用可能性】
【００３４】
本発明のカップ部を有する衣類は、種々の態様が可能である。例えば、上記の実施形態のようなファンデーション衣類以外にも、スポーツ衣類、アウターなど、各種のカップ部を有する衣類に適用できる。
【符号の説明】
【００３５】
１００  ブラジャー（カップ部を有する衣類）
１１０  カップ部
１１１  芯体
１１２  凹部
１２０  カップ支持部
１３０  バック部
１４０  肩ストラップ
２００、３００  ブラキャミソール
２１０、３１０  身頃
Ｐ  前中心端点
Ｌ  カップくりの長さ
【図１】
2019137936.tif 000003
【図２】
2019137936.tif 000004
【図３】
2019137936.tif 000005
【図４】
2019137936.tif 000006